(57)【要約】【課題】開き戸の閉状態において、壁構造体の外側に施解錠操作用ハンドルのような突出物のない面一な美観が得られる一方、開き戸を簡単に施解錠できるようにする。【解決手段】目地部ａに外側へ臨む鍵操作用の小穴１０を設ける一方、目地部の内側にロック制御装置Ｒを取り付ける。ロック制御装置は、鍵挿通穴１４を小穴１０に合わせて配置するシリンダ錠２０と、鍵棒２５と、開き戸Ｄのロック位置又はロック解除位置に回動するロックレバー３０を備え、外側から鍵棒を鍵挿通穴に差し込んでプラグ３２を回転すると、ジョイント部材４５のカム係合部４５ｂと回転伝達カム３５の係合を介してロックレバーを回動する一方、外側から鍵棒を鍵挿通穴に差し込まないときは、ジョイント部材を、カム係合部と回転伝達カムとの係合が外れた退避位置に逃がし、内側からでもロックレバーを回動可能にする。【選択図】          図１
2008308943.tif 000002
【特許請求の範囲】
【請求項１】
多数の壁面パネルを貼り付けて面一に構築した壁構造体の開口部を開閉する開き戸を施解錠するための開き戸の施解錠機構であって、
隣接する前記壁面パネル間の目地部、前記壁面パネル又は前記開き戸に、外側へ臨む鍵操作用の小穴を設け、該小穴を設けた前記目地部、前記壁面パネル又は前記開き戸の内側に、ロック制御装置を取り付け、
該ロック制御装置は、
それを取り付けるときにシリンダに内設したプラグの中心軸線に沿って貫通する鍵挿通穴を前記鍵操作用の小穴に合わせて配置するシリンダ錠と、外側から前記開き戸を施解錠するときに前記鍵操作用の小穴を通して前記鍵挿通穴に回転自在に抜き差しする鍵棒と、前記開き戸をロックするロック位置又はそのロックを解除するロック解除位置に回動するロックレバーとを備え、
該ロックレバーには、回動支点において同軸に回転伝達カムを固着する一方、前記シリンダ錠には、前記シリンダ内にジョイント部材を軸方向に摺動自在に内挿し、
該ジョイント部材は、
それを付勢手段で前記プラグ側へ常時付勢して一端に有する軸部を前記プラグの前記鍵挿通穴に係合し、他端に有するカム係合部と前記回転伝達カムとの係合が外れる退避位置に保持する一方、外側から前記鍵棒を前記鍵挿通穴に差し込むと、前記軸部を前記プラグの前記鍵挿通穴に係合した状態で前記カム係合部が前記退避位置から前記回転伝達カムと係合するジョイント位置に押し込まれ、該回転伝達カムと一体回転可能に連結してなることを特徴とする、開き戸の施解錠機構。
【請求項２】
前記ロック制御装置の前記ロックレバーをロック解除位置に回動して前記開き戸を解錠すると、前記開き戸を開放方向へ付勢して押し開くプッシュ手段を備えてなることを特徴とする、請求項１に記載の開き戸の施解錠機構。
【発明の詳細な説明】
【技術分野】
【０００１】
本発明は、多数の壁面パネルを貼り付けて面一に形成した壁構造体の開口部を開閉する開き戸を施解錠するのに好適な開き戸の施解錠機構に関する。
【背景技術】
【０００２】
最近のビル建築物では、多数の金属製壁面パネルを貼り付けて、出っ張りなく一面フラットに室内壁を形成するため、その壁の開口部を開閉する開き戸も、開口部の用途に応じて、例えば設備の点検口のように、一見して壁のように見せたい開き戸の設置箇所では、施解錠操作のドアハンドルのような突起物が表の外側に出っ張らない外観であることが要請されている。そこで、従来の開き戸の施解錠機構の中には、ケースハンドルを用いて扉の表の外側からドアハンドルが大きく突出しないような構造にしたり、配電盤の収納箱の扉のように扉を開ける使用時にドアハンドルを取り付け、その不使用時にはドアハンドルを取り外すようにした構造のものがある（特許文献１参照）。
【特許文献１】特開平９−１００６５７号公報
【発明の開示】
【発明が解決しようとする課題】
【０００３】
しかし、従来、ケースハンドルを用いた例では、扉面からケースハンドル自体の存在が目立ってしまうし、ドアハンドルが着脱式のものでは、扉を開ける際にドアハンドルを引き抜くと、それが抜け落ちてしまう等の課題があった。
【０００４】
そこで、本発明の目的は、開き戸の閉止状態において、壁構造体の外側に施解錠操作用ハンドルのような突出物のない面一な美観が得られる一方、開き戸を簡単に施解錠することができる開き戸の施解錠機構を提供することにある。
【０００５】
そこで、上記目的を達成すべく、請求項１に記載の発明は、たとえば以下に示す図示実施の形態のとおり、多数の壁面パネルｗ１・ｗ２・ｗ３…を貼り付けて面一に構築した壁構造体Ｗの開口部Ｓを開閉する開き戸Ｄを施解錠するための開き戸の施解錠機構であって、隣接する前記壁面パネルｗ１・ｗ２間の目地部ａ、前記壁面パネル又は前記開き戸に、外側へ臨む鍵操作用の小穴１０を設け、該小穴１０を設けた前記目地部ａ、前記壁面パネル又は前記開き戸の内側に、ロック制御装置Ｒを取り付け、該ロック制御装置Ｒは、それを取り付けるときにシリンダ２９に内設したプラグ３２の中心軸線に沿って貫通する鍵挿通穴１４を前記鍵操作用の小穴１０に合わせて配置するシリンダ錠２０と、外側から前記開き戸Ｄを施解錠するときに前記鍵操作用の小穴１０を通して前記鍵挿通穴１４に回転自在に抜き差しする鍵棒２５と、前記開き戸Ｄをロックするロック位置又はそのロックを解除するロック解除位置に回動するロックレバー３０とを備え、該ロックレバー３０には、回動支点において同軸に回転伝達カム３５を固着する一方、前記シリンダ錠２０には、前記シリンダ２９内にジョイント部材４５を軸方向に摺動自在に内挿し、該ジョイント部材４５は、それをピンスプリング５０のような付勢手段で前記プラグ３２側へ常時付勢して一端に有する軸部４５ａを前記プラグ３２の前記鍵挿通穴１４に係合し、他端に有するカム係合部４５ｂと前記回転伝達カム３５との係合が外れる退避位置に保持する一方、外側から前記鍵棒２５を前記鍵挿通穴１４に差し込むと、前記軸部４５ａを前記プラグ３２の前記鍵挿通穴１４に係合した状態で前記カム係合部４５ｂが前記退避位置から前記回転伝達カム３５と係合するジョイント位置に押し込まれ、該回転伝達カム３５と一体回転可能に連結してなることを特徴とする。
【０００６】
請求項２に記載の発明は、請求項１に記載の開き戸の施解錠機構において、たとえば以下に示す図示実施の形態のとおり、前記ロック制御装置Ｒの前記ロックレバー３０をロック解除位置に回動して前記開き戸Ｄを解錠すると、前記開き戸Ｄを開放方向へ付勢して押し開くプッシュ手段４０を備えてなることを特徴とする。
【発明の効果】
【０００７】
したがって、請求項１に記載の発明によれば、壁構造体の外側には、施解錠操作用にハンドル等の突起物が全く設けられない構成なので、開き戸の閉止状態において、一見すると開き戸も壁の一部のように見える面一な美観を得ることができる。一方で、外側から開き戸を施解錠するときは、鍵棒を鍵操作用の小穴に通してシリンダ錠の鍵挿通穴に差し込みシリンダ錠内のプラグを正逆方向に回転させれば、ジョイント部材とカム回転伝達カムの係合を介してロックレバーが回動し、簡単に開き戸を施解錠することができる。他方、外側から鍵棒を鍵挿通穴に差し込まないときは、ジョイント部材を、カム係合部と回転伝達カムとの係合が外れた退避位置に逃がし、ロックレバーとシリンダ錠のプラグ間の回転伝達を遮断することにより、内側からでも、ロックレバーを回動して簡単に開き戸を施解錠することができる。
【０００８】
請求項２に記載の発明によれば、ロックレバーをロック解除位置に回動させて解錠すれば、開き戸がプッシュ手段により開放方向へ押し開かれ、よって、ハンドル等を使用しなくても、支障なく簡単に開き戸を開けることができる。
【発明を実施するための最良の形態】
【０００９】
以下、図面を参照しつつ、本発明の最良の実施形態について説明する。
【００１０】
図１（Ａ）は、本発明による開き戸の施解錠機構を適用した壁構造体を開き戸閉状態において示す平面図、（Ｂ）はロック制御装置の内部構造を取付状態において示す縦断面図であるである。図２は、壁構造体を開き戸開状態において示す斜視図である。図３は、壁構造体を開き戸閉状態において示す斜視図である。図示例において、壁構造体Ｗは、たとえば多数のスチール製壁面パネルｗ１・ｗ２・ｗ３…を貼り付けて面一に構築した室内壁で、中間の壁面パネルｗ２に、室内設備の点検口となる開口部Ｓを開閉する開き戸Ｄを組み付けてなる。さらに、壁構造体Ｗは、隣接する壁面パネル間に、パネル相互を接続して支持する鉛直な角パイプ状の間柱Ｐを備え、これら間柱Ｐの外側（図中手前側）には、壁面パネル相互の継目に幅約６ｍｍ〜８ｍｍの立て目地が形成されている。
【００１１】
そこで、図示例の開き戸施解錠機構では、壁構造体Ｗの立て目地の中で、特に壁面パネルｗ１と開き戸Ｄ間の目地部ａに外側へ向けて臨む丸い鍵操作用の小穴１０を設けている。一方、間柱Ｐの内側（図中奥側）には、小穴１０を開けた高さ位置にロック制御装置Ｒを取り付ける。
【００１２】
開き戸Ｄは、片側側縁１１ａにＬ板状に屈曲したレバー係止部１２を設け、閉状態において、開口部Ｓに収まって壁構造体Ｗと面一になるように、他側側縁１１ｂ側の間柱Ｐに蝶番１３により開閉自在に取り付けられている。そのため、蝶番１３は、それが開き戸Ｄと壁面パネルｗ３間の目地部ｂから外側へ出っ張らないように、開き戸Ｄの他側側縁１１ｂと間柱Ｐ間の隙間に収まるように取り付けて内設している。
【００１３】
さて、ロック制御装置Ｒは、図４および図５に示すように、取付プレート１５および取付フレーム１６と、これらに組み付けるロック構成部品とを有し、ロック構成部品には、シリンダ錠２０と、シリンダ錠２０の鍵挿通穴１４に抜き差して回動操作する専用の鍵棒２５と、開き戸Ｄの開閉をロックするロックレバー３０と、ロックレバー３０とシリンダ錠２０間で回転を伝達する回転伝達カム３５を備える。
【００１４】
取付プレート１５は、矩形な金属板からなり、略中央のシリンダ取付位置に真円のカム挿通穴１７を設け、カム挿通穴１７の周辺に、複数の止めねじ用の穴と共に位置決め用の穴１８を１つ設けてなる。なお、カム挿通穴１７は、シリンダ錠２０に有したシリンダ２９の中心貫通穴２９ａと比べ、穴径が僅かに小さくなっている。
【００１５】
取付フレーム１６は、金属製で、全体を間柱Ｐの角形状に合わせて直角に屈曲し、一側に取付枠部１９を形成する一方、他側に丸パイプ状のガイド筒２１を突出した形状になっている。取付枠部１９は、平板部１９ａの内面側において、ロックレバー３０の回動支点に短いピン状の枢軸２２を突設すると共に、枢軸２２の一側に、矩形な嵌合凹部２３および第１ストッパ壁１９ｂを並設し、他側にレバーガイド部２４を形成してなる。嵌合凹部２３には、それを囲う矩形な立壁部１９ｃの角縁上に、取付プレート１５側の位置決め用穴１８と対応する短いピン状の位置決め突起２６を枢軸２２と平行に突設している。レバーガイド部２４は、第２ストッパ壁２４ａとガイド棒２４ｂとでＬ状に屈曲させて形成し、第２ストッパ壁２４ａを第１ストッパ壁１９ｂと直交する向きに立設する一方、ガイド棒２４ｂを、平板部１９ａとの間にロックレバー３０の厚さに合わせて間隙ｄを開けて、嵌合凹部２３および第１ストッパ壁１９ｂと平行な向きに凸状に伸設してなる。
【００１６】
更に、取付フレーム１６において、ガイド筒２１は、先端開口を細めて穴縁に環状の抜止め部２１ａを形成してなる。そこで、ロック制御装置Ｒは、このガイド筒２１と、プッシュ杆２７と、圧縮コイルばね２８からなるプッシュ手段４０を付設した構成になっている。プッシュ杆２７は、樹脂製で、基端が開口した中空の細長い丸管状につくられ、基端を一段太径に形成し、その基端外周に抜止め鍔部２７ａを形成してなる。そして、プッシュ手段４０は、図６をも参照すると判るように、圧縮コイルばね２８の一端をばね装着ピン４６に巻装する一方、他端側にプッシュ杆２７を被せてから、それらプッシュ杆２７と圧縮コイルばね２８を順に、基端開口２１ｂからガイド筒２１内に挿入して基端開口２１ｂをばね受け４７で封止し、圧縮コイルばね２８でプッシュ杆２７を常時付勢してガイド筒２１の先端開口から押し出した状態で保持して組み立ててなる。
【００１７】
シリンダ錠２０は、図１を参照すると判るように、鍵棒２５を用いて、シリンダ２９内の複数本のピンタンブラー３１を動かしてプラグ３２を回し、プラグ３２と同軸に回転自在に内挿したジョイント部材４５を回動する錠前構造になっている。そのため、プラグ３２は、図４および図５に示すように、中心軸線に沿って貫通する鍵挿通穴１４を、丸穴ではなく、回転伝達用に内周面の一部が平面の異形な穴形状で形成している。
【００１８】
ジョイント部材４５は、金属材で一体成形し、一端側に有する軸部４５ａと、他端側に有する円形キャップ状のカム係合部４５ｂとからなる。軸部４５ａは、丸棒状ではなく、プラグ３２の鍵挿通穴１４に合わせて軸周面の一部に平面を有した異形な回転伝達形状をなしている。他方のカム係合部４５ｂは、外周面を、円筒状をなすシリンダ２９の中心貫通穴２９ａの内周面に合わせて真円で形成するが、内周側にはカム係合穴４１を凹設してなる。カム係合穴４１は、丸穴ではなく、回転伝達用に内周面の一部が対称に向き合う凸状をなす異形な穴形状で形成している。そこで、ジョイント部材４５は、シリンダ２９に内設したプラグ３２の鍵挿通穴１４に、一端の軸部４５ａを軸方向に摺動自在に係合させてプラグ３２と一体回転可能に連結した状態で、シリンダ２９の中心貫通穴２９ａに内挿する。
【００１９】
専用の鍵棒２５は、軸部２５ａが上記目地部ａ内で軸回転可能なほどに細い丸軸状で、軸部２５ａの先端２５ｂ側を、プラグ３２の鍵挿通穴１４に合わせて軸周面の一部に平面を有した異形な回転伝達形状に形成すると共に、シリンダ錠２０の内部の鍵違い構造に対応する合鍵形状に成形してなる。
【００２０】
ロックレバー３０は、細長い金属板を前記間柱Ｐの角形状に合わせて直角に屈曲し、基端部３０ａの外側に回転支点の軸係合穴３３を穿設すると共に、内側に回転伝達カム３５を固着する一方、掛け止め側の先端部には、Ｌ板状に曲げ起したフック部３０ｂを設けてなる。また、ロックレバー３０の基端部３０ａの外側には、軸係合穴３３と隣接した位置に円柱状の摘み部３６を固着して突設してなる。
【００２１】
回転伝達カム３５は、ロックレバー３０の基端部３０ａの外形状に合わせて矩形板状をなす固定部３７と、固定部３７の片側板面上に突設したカム部３８と、固定部３７とカム部３８間を貫通するばね収納穴３９とで形成してなる。カム部３８は、取付プレート１５のカム挿通穴１７に合わせて、それに挿通可能な直径サイズの円柱部分３８ａと、ばね収納穴３９を間に挟んで対称に円柱部分３８ａからピン状に突出する一対の係合突起３８ｂとからなる。ロックレバー３０には、軸係合穴３３と回転伝達カム３５のばね収納穴３９を合わせて、基端部３０ａ上に固定部３７をカシメ等で固着して回転伝達カム３５を組み付けてなる。
【００２２】
そこで、図示ロック制御装置Ｒは、取付プレート１５に対し、シリンダ２９の中心貫通穴２９ａをそれより若干小径なカム挿通穴１７に合わせてシリンダ錠２０をねじ止めする。従って、ジョイント部材４５は、一端の軸部４５ａを鍵挿通穴１４に摺動自在に係合してプラグ３２と一体回転可能に連結した状態で、他端のカム係合部４５ｂをカム挿通穴１７の穴縁で抜け止めして中心貫通穴２９ａに内挿される。
【００２３】
一方、取付フレーム１６には、嵌合凹部２３内に、圧縮コイルばねからなるクリックばね４２を入れてから、図７に示すように、嵌合凹部２３にコ形のばね押え４３を嵌め込んでクリックばね４２を押え込んだ状態で、ロックレバー３０を、枢軸２２に基端部３０ａの軸係合穴３３を係合させて連結し、枢軸２２を支点として、２つのスットパ壁１９ｂ・２４ｂ間で９０度回動できるように組み付ける。従って、ロックレバー３０は、それが回動すると、基端部３０ａと回転伝達カム３５の固定部３７とで、途中でクリックばね４２を押し込んで圧縮しながら、ばね押え４３を乗り越えて回動し、片側の第２スットパ壁２４ｂに押し当ってロック位置に保持され、又は他側の第１スットパ１９ｂに押し当ってロック解除位置に保持されるようになっている。そして、ロックレバー３０は、それを回動するたびに、クリックばね４２のばね抵抗を受け、それに基づいて操作者がクリック感を感じるようになっている。それから、ロック制御装置Ｒには、このロックレバー３０において、回転伝達カム３５のばね収納穴３９に、付勢手段である細長い圧縮コイルばね製のピンスプリング５０を挿入する。ピンスプリング５０は、ばね収納穴３９の深さより長く、そこから上向きに突設される。
【００２４】
次いで、ロック制御装置Ｒは、取付フレーム１６の位置決め突起２６を取付プレート１５の位置決め穴１８に係合させて互いの取付位置を決めてから、ピンスプリング５０が突出した回転伝達カム３５を、カム挿通穴１７からシリンダ２９の中心貫通穴２９ａに嵌合し、シリンダ錠２０を組み付けた取付プレート１５を、ロックレバー３０を組み付けた取付フレーム１６にねじ止めし、図８に示すように組み立てる。すると、ロック制御装置Ｒは、図９に示すように、ピンスプリング５０の先端がカム係合穴４１に係合し、ジョイント部材４５をピンスプリング５０でプラグ３２側へ常時付勢し、他端のカム係合部４５ｂと回転伝達カム３６との係合が外れた退避位置に逃がして保持する。従って、ロック制御装置Ｒでは、図１を参照すると判るように、鍵棒２５をプラグ３２の鍵挿通穴１４に差し込むと、ジョイント部材４５は、一端の軸部４５ａを鍵挿通穴１４に係合した状態で他端のカム係合部４５ｂが退避位置から回転伝達カム３５と係合するジョイント位置へ押し込まれ、そのジョイント位置でカム係合穴４１に回転伝達カム３５の係合突起３８ｂが係合し、回転伝達カム３５と一体回転可能に連結される構造になっている。
【００２５】
そこで、上述した構成のロック制御装置Ｒは、鍵操作用小穴１０の高さ位置において間柱Ｐの内側に取り付ける。そして、ロック制御装置Ｒは、プッシュ手段４０を、間柱Ｐの横で開口部Ｓから外側へ臨ませて配置し、シリンダ錠２０を間柱Ｐに開けた取付穴（図示省略）に挿入し、鍵挿通穴１４を鍵操作用小穴１０に一致させた状態で、間柱Ｐに取付プレート１５をねじ止めして組み付ける。
【００２６】
さて、以上のような構成の本発明の開き戸施解錠機構において、点検口の外側から、開き戸Ｄを閉じて施錠する場合は、図１および図３に示すように、開き戸Ｄを、プッシュ手段４０の圧縮コイルばね２８に抗して手で押えて、閉止状態とし、一方で、目地部ａの隙間から、鍵棒２５を、鍵挿通穴１４に差し込んでシリンダ錠２０内で正方向へプラグ３２と一体に９０度回転する。このとき、ロック制御装置Ｒでは、鍵棒２５を鍵挿通穴１４に差し込むと、ジョイント部材４５の一端軸部４５ａがプラグ３２の鍵挿通穴１４に係合した状態で、他端のカム係合部４５ｂが退避位置から回転伝達カム３５と係合するジョイント位置へ押し込まれ、カム係合穴４１に回転伝達カム３５の係合突起３８ｂが係合し、ジョイント部材４５が回転伝達カム３５と一体回転可能に連結される。すると、プラグ３２の正回転がジョイント部材４５と回転伝達カム３５の係合を介してロックレバー３０に伝達され、ロックレバー３０をフック部３０ｂが図中横向きのロック位置へ回動し、ロックレバー３０を開き戸Ｄのレバー係止部１２に掛け止める。しかる後、鍵棒２５をシリンダ錠２０の鍵挿通穴１４から抜き取って施錠し、これによって開き戸Ｄをロックする。
【００２７】
一方、点検口の外側から、開き戸Ｄを解錠する場合は、同様に目地部ａの隙間から、鍵棒２５を鍵挿通穴１４に差し込み、今度は反対に、シリンダ錠２０内で逆方向へプラグ３２と一体に９０度回転する。すると、プラグ３２の逆回転がジョイント部材４５と回転伝達カム３５の係合を介してロックレバー３０に伝達され、図１０に示すように、ロックレバー２５をフック部３０ｂが図中上向きのロック解除位置へ回動し、フック部３０ｂを開き戸Ｄのレバー係止部１２から外す。すると同時に、開き戸Ｄは、プッシュ手段４０の圧縮コイルばね２８の外向きのばね付勢力に基づいて、プッシュ杆２７に押されて自動的に開放する。それから、レバー係止部１２に手を掛けて、図２に示すように開き戸Ｄを更に開くように操作すればよい。
【００２８】
さて反対に、点検口の内側から、開き戸Ｄを閉じて施錠する場合は、開き戸Ｄを、プッシュ手段４０の圧縮コイルばね２８に抗して、手前に引き寄せて閉止状態とし、一方で、摘み部３６を摘んで、ロックレバー３０を、枢軸２２を支点として回転伝達カム３５と一体に正方向へ９０度回してロック位置へ回動し、ロックレバー３０をレバー係止部１２に掛け止めて開き戸Ｄをロックする。他方、点検口の内側から開き戸Ｄを解錠する場合は、同様に摘み部３６を摘んで、ロックレバー３０を、枢軸２２を支点として回転伝達カム３５と一体に逆方向へ９０度回してロック解除位置へ回動し、ロックレバー２５の掛け止めをレバー係止部１２から外す。すると、プッシュ手段４０の圧縮コイルばね２８のばね付勢力が働いて、開き戸Ｄは、プッシュ杆２７に押されて自動的に開放する。このように点検口の内側から開き戸Ｄを施解錠するときは、プラグ３２の鍵挿通穴１４に鍵棒２５が差し込まれないので、ロック制御装置Ｒでは、図９に示すように、ジョイント部材４５を、回転伝達カム３５側のピンスプリング５０でプラグ３２側へ付勢し、カム係合部４５ｂと回転伝達カム３６の係合が外れた退避位置へ逃がし、ロックレバー３０は、プラグ３２との間で回転伝達を遮断されているため、正逆方向へ自由に回動可能な状態にあり、簡単に回動操作できる。
【００２９】
ところで、以上の図示実施の形態では、外側へ臨む鍵操作用の小穴１０を、壁面パネルｗ１と、開き戸Ｄを組み付けた壁面パネルｗ２間の目地部ａに設け、その内側にロック制御装置Ｒを設置する構成であった。しかし、本発明では、開き戸自体に外側へ臨む鍵操作用の小穴を設け、その小穴を設けた開き戸の内側にロック制御装置を設置する構成にすることもできる。また、壁面パネル自体に外側へ臨む鍵操作用の小穴を設け、その小穴を設けた壁面パネルの内側にロック制御装置を設置する構成にすることもできる。
【図面の簡単な説明】
【００３０】
【図１】（Ａ）は、本発明による開き戸の施解錠機構を適用した壁構造体を開き戸閉状態において示す平面図、（Ｂ）はロック制御装置の内部構造を取付状態において示す縦断面図であるである。
【図２】壁構造体を開き戸の開状態において示す斜視図である。
【図３】壁構造体を開き戸の閉状態において示す斜視図である
【図４】ロック制御装置の分解斜視図である。
【図５】ロック制御装置を図４とは逆向きに示す分解斜視図である。
【図６】ロック制御装置の側面図である。
【図７】シリンダ錠側を外してロック制御装置の内部構造を示す斜視図である。
【図８】（Ａ）は、ロック制御装置をロックレバーがロック位置にある状態で示す組立斜視図、（Ｂ）は、ロック制御装置をロックレバーがロック解除位置にある状態で（Ａ）とは逆向きに示す組立斜視図である。
【図９】プラグの鍵挿通穴に鍵棒を差し込まない状態で、ロック制御装置の内部構造を示す縦断面図である。
【図１０】開き戸の施解錠機構を開き戸開状態において示す平面図である。
【符号の説明】
【００３１】
Ｄ                開き戸
Ｐ                間柱
Ｒ                ロック制御装置
Ｓ                開口部
Ｗ                壁構造体
ｗ１・ｗ２・ｗ３  壁面パネル
ａ・ｂ            目地部
１０              鍵操作用の小穴
１４              鍵挿通穴
２０              シリンダ錠
２５              鍵棒
２９              シリンダ
３０              ロックレバー
３２              プラグ
３５              回転伝達カム
４０              プッシュ手段
４５              ジョイント部材
４５ａ            軸部
４５ｂ            カム係合部
５０              ピンスプリング（付勢手段）
【図１】
2008308943.tif 000003
【図２】
2008308943.tif 000004
【図３】
2008308943.tif 000005
【図４】
2008308943.tif 000006
【図５】
2008308943.tif 000007
【図６】
2008308943.tif 000008
【図７】
2008308943.tif 000009
【図８】
2008308943.tif 000010
【図９】
2008308943.tif 000011
【図１０】
2008308943.tif 000012